(57)【要約】【課題】  縦横方向の余白を同時に切断することの出来るとともに負荷変動の少ないローラカッタ、切断装置、および切断機構を備えた画像形成装置を提供すること。【解決手段】  円筒状の回転体１８の表面に展開状態で平行四辺形の切断刃１７を形成し、前記切断刃の内の平行な２辺は、前記回転体の円周上に配置されたので、縦横方向の余白を同時に切断することが出来るとともに負荷変動が少ない。【選択図】  図２
2006289570.tif 000002
【特許請求の範囲】
【請求項１】
円筒状の回転体の表面に２対の切断刃を設けてなり、一方の対の切断刃は、前記回転体の回転方向に沿って互いに間隔をおいて並行に設けられ、他方の対の切断刃は、前記回転体の軸方向に沿って互いに間隔をおいて並行に設けられたことを特徴とするローラカッタ。
【請求項２】
前記切断刃の内他方の対は、前記回転体の円周方向へ連続的に配置されたことを特徴とする請求項１に記載のローラカッタ。  
【請求項３】
円筒状の回転体の表面に２対の切断刃を設けてなり、一方の対の切断刃は、前記回転体の回転方向に沿って互いに間隔をおいて並行に設けられ、他方の対の切断刃は、前記回転体の軸方向に沿って互いに間隔をおいて並行に設けられたことを特徴とするローラカッタをシート状の被切断部材の進行方向に対して傾斜させて配置したことを特徴とするシート状部材の切断装置。
【請求項４】
前記切断刃の内一方の対は、前記被切断部材の供給方向に対して垂直に配置したことを特徴とする請求項３に記載のシート状部材の切断装置。
【請求項５】
前記切断刃の内他方の対は、前記被切断部材の供給方向に対して平行に配置したことを特徴とする請求項３に記載のシート状部材の切断装置。
【請求項６】
連続状のシートへ画像を形成する画像形成部の下流に前記請求項３〜５の何れか１に記載の切断機構を備えた画像形成装置。
【発明の詳細な説明】
【技術分野】
【０００１】
本発明は、形成した画像の余白部を切断するローラカッタ、切断装置、および切断機構を備えた画像形成装置に関する。
【背景技術】
【０００２】
従来の切断機構を備え画像形成装置として、例えば、印刷された定型サイズの用紙を１回目の搬送動作により横方向の切断位置を切断し、２回目の搬送動作により縦方向の切断位置を切断するものが知られている（特開２００３−２９１４４２）。また、記録紙の搬送停止中に記録紙の幅方向に切断するカッタと、記録紙搬送方向の上流または下流に配置されて記録紙を搬送方向に切断するスリッタを一体に組み込んだカッタユニットを備えるカッタ付きプリンタが提案されている（特開２００１−１３９２１３）。  
また、記録媒体を排紙する方向（Ｙ軸）に沿って搬送する搬送手段と、搬送された記録媒体をＹ軸に沿った長手方向の半分の位置から幅方向のＸ軸方向へ移動して切断する回転カッタを備えた切断手段を有する記録装置が提案されている（特開平１０−２８６７９６）。
【特許文献１】特開２００３−２９１４４２号公報
【特許文献２】特開２００１−１３９２１３号公報
【特許文献３】特開平１０−２８６７９６号公報
【発明の開示】
【発明が解決しようとする課題】
【０００３】
しかしながら、上記従来の画像形成装置では、以下の問題が残されている。すなわち、従来の横方向位置と縦方向位置を２回に分けて切断する画像形成装置にあっては、記録紙を２度にわたって給紙する必要があり、手間と処理時間を考慮すると非常に冗長であった。
また、他の画像形成装置においても、周りの余白部を切断する機構および動作が複雑であると云う欠点が存在した。
【０００４】
本発明は、前述の課題に鑑みてなされたもので、一度の搬送で印刷物を余白部と印刷部に切断することができるとともに、負荷変動の少ないローラカッタ、切断装置、および切断機構を備えた画像形成装置を提供することを目的とする。
【課題を解決するための手段】
【０００５】
本発明は、前記課題を解決するために以下の構成を採用した。すなわち、本発明のローラカッタは、筒状の回転体の表面に２対の切断刃を設けてなり、一方の対の切断刃は、前記回転体の回転方向に沿って互いに間隔をおいて並行に設けられ、他方の対の切断刃は、前記回転体の軸方向に沿って互いに間隔をおいて並行に設けられたことを特徴とする。
【０００６】
また、本発明にかかるローラカッタは、前記切断刃の内他方の対は、前記回転体の円周方向へ連続的に配置されたことを特徴とする。
【０００７】
また、本発明にかかるシート状部材の切断装置において、円筒状の回転体の表面に２対の切断刃を設けてなり、一方の対の切断刃は、前記回転体の回転方向に沿って互いに間隔をおいて並行に設けられ、他方の対の切断刃は、前記回転体の軸方向に沿って互いに間隔をおいて並行に設けられたことを特徴とするローラカッタをシート状の被切断部材の進行方向に対して傾斜させて配置したことを特徴とする。
【０００８】
また、本発明にかかるシート状部材の切断装置において、前記切断刃の内の一方対は、前記被切断部材の供給方向に対して垂直に配置したことを特徴とする。
また、前記切断刃の内の他方の対は、前記被切断部材の供給方向に対して平行に配置したことを特徴とする。
【０００９】
また、本発明にかかる画像形成装置において、円筒状の回転体の表面に２対の切断刃を設けてなり、一方の対の切断刃は、前記回転体の回転方向に沿って互いに間隔をおいて並行に設けられ、他方の対の切断刃は、前記回転体の軸方向に沿って互いに間隔をおいて並行に設けられたローラカッタをシート状の被切断部材の供給方向に対して傾斜させて配置したシート状部材の切断装置を備えている。
【発明の効果】
【００１０】
本発明のローラカッタによれば、円筒状の回転体の表面に展開状態で略平行四辺形の各辺をなして配置された切断刃を形成したので、縦横方向の余白を一度の搬送で切断することができ、処理作業の大幅な短縮を図ることができる。また、本発明のシート状部材の切断装置によれば、一度に大きな切断負荷がかからず余白を円滑に切断できる。また、本発明の画像形成装置によれば、印刷部と余白部を切断した状態で排出することができる。
【発明を実施するための最良の形態】
【００１１】
以下、本発明にかかる画像形成装置の第１の実施形態を、図面を参照しながら説明する。図１は、本発明にかかる画像形成装置の一実施形態を示す概略構成図、図２は本発明におけるローラカッタの動作説明図である。ここで、画像形成装置１０は、画像の形成された印刷物１１を定着ローラ１２ａ、１２ｂを備えた定着器１３で定着するとともに、ローラカッタ１４で印刷部と余白部を切断して排紙トレイ１５上に排出する。定着ローラ１２は、内部にヒータを内蔵しており、印刷物１１上に付着されたトナーを溶融定着する。
【００１２】
ローラカッタ１４は、定着ローラ１２の下流に配置されており、弾性を有する受け台１６と接触している。そして、ローラカッタ１４と受け台１６の間を通過する印刷物１１に圧力を与えて切断することができる。
【００１３】
図２は、本発明におけるローラカッタの切断刃を示す展開図である。ローラカッタ１４の円筒状の回転体１８の表面に展開状態で平行四辺形の切断刃１７が形成されている。また、切断刃１７の内の平行な一対をなす２辺の切断刃１７ａは、回転体１８の円周上に連続して配置されている。他の一対をなす２辺の切断刃１７ｂは、回転体１８の回転軸芯に対して所定の角度θを有して、回転体１８の軸心に対して傾斜して設けられている。
【００１４】
このように構成したローラカッタ１４は、図３に示すように被切断部材である印刷物１１の供給方向Ａに対して、前記他の一対の２辺の切断刃１７ｂの傾斜を相殺するように逆方向へθだけ傾斜させ、切断刃１７ｂが印刷物１１の幅方向に沿う切断線によって切断することができるように配置されている。このように配置した場合、印刷物１１の幅方向の余白部が切断刃１７ａで連続的に切断され、上下方向の余白部が切断刃１７ｂによって切断される。したがって、本発明のローラカッタ１４によれば、印刷物１１の周囲の余白部を１回の通紙でカットすることができる。また、切断刃１７ｂが印刷物１１の幅方向を順次切断してゆくので、同時に切断負荷がかかることがなく、円滑に切断できる。
【００１５】
図４は、本発明における印刷部と余白部の関係を示す説明図、図５は本発明における印刷部と余白部の切断状態を示す説明図である。印刷物１１の印刷物１１ａとその周囲の余白部１１ｂは、本発明のローラカッタ１４によって、一度の搬送動作によって切断することができる。
【００１６】
また、以上のように構成したローラカッタを使用してシート状部材の切断装置を構成すれば同様に一回の通紙によって、印刷部と余白部を切断分離することができる。
【００１７】
また、以上の様に構成した切断機構を画像形成装置に備えれば、画像形成装置によって形成した印刷物１１の印刷部と余白部を一回の通紙によって切断分離することができる。
【００１８】
なお、本発明は上記実施形態に限定されるものではなく、本発明の趣旨を逸脱しない範囲において種々の変更を加えることが可能である。
【図面の簡単な説明】
【００１９】
【図１】本発明にかかる画像形成装置の一実施形態を示す概略構成図である。
【図２】本発明におけるローラカッタの切断刃を示す展開図である。
【図３】本発明におけるローラカッタの作動状態の説明図である。
【図４】本発明における印刷部と余白部の関係を示す説明図である。
【図５】本発明における印刷部と余白部の切断状態を示す説明図である。
【符号の説明】
【００２０】
１０    画像形成装置
１１    印刷物
１２    定着ローラ
１３    定着器
１４    ローラカッタ
１５    排紙トレイ
１６    台座
１７    切断刃
１８    回転体
【図１】
2006289570.tif 000003
【図２】
2006289570.tif 000004
【図３】
2006289570.tif 000005
【図４】
2006289570.tif 000006
【図５】
2006289570.tif 000007